(57)【要約】【課題】出力電圧がより安定し、画面のちらつきを抑制することで、表示品質の向上を実現するスイッチングレギュレータ式電源生成回路を備える表示装置の提供。【解決手段】スイッチングレギュレータ式直流電源生成回路を備える表示装置において、出力電圧の設定電圧に対する符号が一定のときには、スイッチング素子をＯＮする期間は、所与の幅によって増減するよう決定され、該符号が変化するときには、該期間は、所与の幅と異なって増減するよう決定される、ことを特徴とする。【選択図】図６
2010217302.tif 000002
【特許請求の範囲】
【請求項１】
電圧昇圧回路と、
前記電圧昇圧回路を駆動するスイッチング素子と、
ＯＮ期間の間、前記スイッチング素子をＯＮする信号を、前記スイッチング素子に出力するＯＮ期間信号生成手段と、
所定の周期ごとに、前記電圧昇圧回路の出力電圧の所定の設定電圧に対する符号を検出する出力電圧検出手段と、
前記所定の周期ごとに、前記符号に基づいて、後の周期のＯＮ期間の長さを決定するＯＮ期間決定手段と、
を備える、スイッチングレギュレータ式直流電源生成回路を備える表示装置であって、
前記ＯＮ期間決定手段は、連続する２つの周期において前記符号が同じになるタイミングに応じて、前記ＯＮ期間の長さが所与の幅によって単調に増減するよう前記後の周期のＯＮ期間を決定するとともに、
連続する２つの周期において前記符号が異なるタイミングに応じて、前記ＯＮ期間の長さが所与の幅と異なって増減するよう前記ＯＮ期間を決定する、
ことを特徴とする表示装置。
【請求項２】
請求項１に記載の表示装置であって、
前記ＯＮ期間決定手段は、ＯＮ期間の情報を記憶する記憶部を備え、
前記記憶部は、連続する２つの周期期間において前記符号が異なるタイミングに応じて、少なくとも１つのＯＮ期間の情報を記憶し、
前記ＯＮ期間決定手段は、連続する２つの周期期間において前記符号が異なるタイミングに応じて、前記記憶部が記憶したＯＮ期間に基づいて、前記ＯＮ期間を決定する、
ことを特徴とする表示装置。
【請求項３】
請求項２に記載の表示装置であって、
前記ＯＮ期間決定手段は、連続する２つの周期期間において前記符号が異なるタイミングに応じて、該タイミングに対応するＯＮ期間と、前記記憶部が記憶したＯＮ期間の平均値をとることにより、前記ＯＮ期間の長さを決定する、
ことを特徴とする表示装置。
【発明の詳細な説明】
【技術分野】
【０００１】
本発明は、直流電源生成回路を備える表示装置に関する。特に、スイッチングレギュレータ方式の直流電源生成回路の出力電圧を安定化させることによる表示装置の表示品質向上に関する。
【背景技術】
【０００２】
表示装置が有する直流主電源の電圧よりも高い電圧によって駆動される駆動回路を備える場合がある。この場合、この駆動回路に当該所定の電圧を提供する駆動用電源が必要である。駆動用電源に備えられた電源生成回路において、主電源から電圧を昇圧して当該所定の電圧が生成される。
【０００３】
電圧を昇圧する方式には、チャージポンプ方式に加えて、スイッチングレギュレータ方式がある。近年の表示パネルの高解像度化・高精細化にともない、駆動能力の高いスイッチングレギュレータ方式が電源生成回路に採用されることがある。スイッチングレギュレータ方式の制御モードの一つに、電圧昇圧回路に接続するスイッチング素子をＯＮする期間を決定するパルス幅（Pulse Width）を変化させることにより、出力電圧を安定化させるＰＷＭ（Pulse Width Modulation）モードがある。ここで、パルス幅とは、スイッチング素子に送る信号が高い電圧値である期間の長さを指している。当該モードにおいては、出力電圧が設定電圧より低い（以下、「出力電圧がＬである」と記す）場合は、パルス幅をより大きくすることで、スイッチング素子のＯＮ期間が長くなり、出力電圧を高くすることが出来る。一方、出力電圧が設定電圧より高い（以下、「出力電圧がＨである」と記す）場合は、パルス幅をより小さくすることで、スイッチング素子のＯＮ期間が短くなり、出力電圧を低くすることが出来る。これらを繰り返すことにより、出力電圧を設定電圧近傍で安定化させることが出来る。
【０００４】
従来技術に係る表示装置に備えられる電源生成回路を、図３に示す。当該電源生成回路の全体の構成は、本発明に係る表示装置に備えられる電源生成回路と共通するところが多い。よって、当該構成の詳細な説明は、本発明の実施形態の説明において行う。ここでは、電源生成回路の構成の概略について、簡単に説明を行う。
【０００５】
図３に示す通り、当該電源生成回路には、電圧昇圧回路１が備えられており、表示装置の主電源１１の電圧を昇圧している。その電圧昇圧回路１を駆動するスイッチング素子２が接続されている。スイッチング素子２には、ＯＮ期間信号生成部３が接続されており、ＯＮ期間の間、スイッチング素子２をＯＮする信号であるＯＮ期間信号２３を、ＯＮ期間信号生成部３がスイッチング素子２に出力している。
【０００６】
また、電圧昇圧回路１の出力電圧Ｖｏｕｔには、出力電圧検出部４が接続されている。出力電圧検出部４は、一定周期（以下、サイクルと記す）ごとに、出力電力ＶｏｕｔがＨであるかＬであるかを検出する。出力電圧検出部４は、出力電力ＶｏｕｔがＨであるとき高い電圧値の電圧（以下、Ｈの電圧と記す）を、出力電力ＶｏｕｔがＬであるとき低い電圧値の電圧（以下、Ｌの電圧と記す）を、検出符号２１として、ＯＮ期間決定部５へ出力している。
【０００７】
ＯＮ期間決定部５において、検出符号２１に基づいて、ＯＮ期間の長さ、すなわち、パルス幅を決定し、ＯＮ期間情報２２として、前記のＯＮ期間信号生成部３へ出力している。ここで、ＯＮ期間情報２２は、スイッチング素子をＯＮする期間（ＯＮ期間）の長さを、クロック信号ＰＣＬＫの周期を単位として表した値である。
【０００８】
ＯＮ期間信号生成部３では、このＯＮ期間情報２２に基づいて、ＯＮ期間信号２３を生成し、スイッチング素子２へ出力している。
【０００９】
前記ＯＮ期間決定部５において、各サイクルにおける最初の瞬間（以下、始期と記す）における検出符号２１に基づいて、当該サイクルの次のサイクルの期間におけるＯＮ期間の長さ、すなわち、パルス幅を決定している。ＯＮ期間の長さは、表示装置が表示に用いるクロック信号ＰＣＬＫに基づいて設定されることになるため、当該期間の長さは、クロック信号ＰＣＬＫの周期の整数倍で、決定されている。ここで、クロック信号ＰＣＬＫとは、例えば、ドットクロック信号などである。以下、当該期間の長さは、クロック信号ＰＣＬＫの周期を単位に表記することとする。
【００１０】
図４は、前記ＯＮ期間決定部５の構成を示す概略図である。出力電圧検出部４より入力された検出符号２１に基づいて、期間増減素子３１は、現ＯＮ期間情報２４である入力信号の値に所与の幅を加減し、次ＯＮ期間情報２５の値として出力する。ここで、所与の幅を、１と設定するとする。この場合、検出符号２１がＬの電圧のとき、期間増減素子３１は、入力信号の値に１加えて出力する。検出符号２１がＨの電圧のとき、期間増減素子３１は、入力信号の値から１減じて出力する。
【００１１】
次ＯＮ期間情報２５は、情報出力部３２のＤ端子に入力される。ここで、情報出力部３２とは、クロックの立ち上がりに応じて、そのときに入力されるＤ端子の情報を、次のクロックの立ち上がりまで、Ｑ端子から出力し続ける。情報出力部３２のクロックには、各サイクルの始期に立ちあがるサイクル信号ＣＬＫが入力される。よって、情報出力部３２は、次のサイクルの始期に、次ＯＮ期間情報２５の値を、ＯＮ期間情報２２の値として、ＯＮ期間信号生成部３へ出力する。
【００１２】
ＯＮ期間信号生成部３は、入力されたＯＮ期間情報２２に基づいて、ＯＮ期間信号２３を生成して、スイッチング素子２へ出力する。以上により、出力電圧Ｖｏｕｔの制御をおこなっている。
【発明の概要】
【発明が解決しようとする課題】
【００１３】
図１３は、従来技術に係る電源生成回路によって制御される出力電圧Ｖｏｕｔと、検出符号２１と、ＯＮ期間情報２２の時間的変化を表す図である。図１３において、図中上から順に、（ａ）出力電圧Ｖｏｕｔ、（ｂ）検出符号２１、（ｃ）ＯＮ期間情報２２を示している。横軸方向は、時間である。各サイクルは、図中縦方向に伸びる複数の点線によってそれぞれ区切られた期間であり、各サイクルのうち、特定のサイクルについて、Ｃ１、Ｃ２、Ｃ３、など、符号で示している。
【００１４】
前述の通り、出力電圧検出部４は、サイクル毎に、出力電圧ＶｏｕｔがＨであるかＬであるかを示す検出符号２１を出力している。出力電圧Ｖｏｕｔが、図１３（ａ）のように変化する場合、それに応じて、検出符号２１は、図１３（ｂ）のように変化する。すなわち、出力電圧ＶｏｕｔがＬからＨへ（ＨからＬへ）変化したとき、次のサイクルの始期で、検出符号２１は、ＬからＨへ（ＨからＬへ）変化する。
【００１５】
前述の通り、ＯＮ期間決定部５は、あるサイクルにおける検出符号２１に基づいて、該サイクルのＯＮ期間情報２２の値に、１を加減して、次のサイクルのＯＮ期間情報２２の値としている。すなわち、あるサイクルにおける検出符号２１がＨの電圧であれば、該サイクルのＯＮ期間情報２２の値から１減じた値が、次のサイクルのＯＮ期間情報２２の値となり、あるサイクルにおける検出符号２１がＬの電圧であれば、該サイクルのＯＮ期間情報２２の値に１加えた値が、次のサイクルのＯＮ期間情報２２の値となる。
【００１６】
検出符号２１が、図１３（ｂ）のように変化する場合、それに応じて、ＯＮ期間情報２２は、図１３（ｃ）のように変化する。たとえば、サイクルＣ１においてＯＮ期間情報２２の値は、４３である。そして、サイクルＣ１において、検出符号２１はＬの電圧であるので、次のサイクルＣ２におけるＯＮ期間情報２２の値は、サイクルＣ１のＯＮ期間情報２２の値である４３に、１を加えた値である４４となる。同様に、サイクルＣ２の検出符号２１はＬの電圧であるので、次のサイクルＣ３におけるＯＮ期間情報２２の値は、４４に１を加えた値である４５となる。
【００１７】
しかし、サイクルＣ３の検出符号２１はＨの電圧に変化しているので、次のサイクルＣ４において、ＯＮ期間情報２２の値は、サイクルＣ３におけるＯＮ期間情報２２の値である４５から１を減じた値である４４となる。同様に、サイクルＣ５の検出符号２１はＨの電圧であるので、次のサイクルＣ５において、ＯＮ期間情報２２の値は、４４から１を減じた値である４３となる。
【００１８】
連続する２サイクルにおいて、検出符号２１がＬからＨへ（ＨからＬへ）変化する場合を考える。当該２サイクルのうち、後のサイクルにおけるＯＮ期間情報２２の値は設定電圧を作り出すためには、過度に大きい（小さい）値となっていると考えられる。すなわち、設定電圧を出力するのに最適なＯＮ期間の長さとの間に、１（すなわち、クロック信号ＰＣＬＫの周期）よりも十分に大きな差が生じていると考えられる。
【００１９】
それにもかかわらず、前記のＯＮ期間決定部５は、あるサイクルにおいて、当該サイクルにおける検出符号２１に基づいて、当該サイクルの次のサイクルのＯＮ期間の長さに１を加減するのみである。よって、検出符号２１がＬからＨへ（ＨからＬへ）変化する場合においても、後のサイクルにおいて、当該後のサイクルの次のサイクルにおけるＯＮ期間の長さは、当該後のサイクルにおけるＯＮ期間の長さを１減少（増加）したものに過ぎない。よって、当該後のサイクルの次のサイクルにおいても、ＯＮ期間の長さは、最適なＯＮ期間の長さと比べて、当該後のサイクルと同様に、なお大きな差が生じたままである。
【００２０】
このため、これに続くサイクル毎に、パルス幅を１ずつ減少（増加）していくことになるが、検出符号２１がＨからＬへ（ＬからＨへ）次に初めて変化するまでの期間は長くならざるを得なくなる。すなわち、出力電圧Ｖｏｕｔが一度ＬからＨへ（ＨからＬへ）変化してから、次に、ＨからＬへ（ＬからＨへ）変化するまでの期間は長くなる。この期間が長くなると、その期間のうち、出力電圧が上昇（下降）し続ける期間も長くなるため、出力電圧と設定電圧の差の最大値、すなわち、出力電圧の設定電圧に対する揺らぎの最大値は大きいものとなる。この揺らぎによって、画素電極に印加する階調電圧が影響を受けるので、画面のちらつきを引き起こす問題となっている。
【００２１】
たとえば、図１３に示す場合にあっては、連続する２サイクルであるＣ２とＣ３において、検出符号２１はＬからＨへ変化している。サイクルＣ３におけるＯＮ期間情報２２の値は、４５と、設定電圧を作り出すためには、過度に大きい値であると考えられる。よって、サイクルＣ４のＯＮ期間情報２２の値は、サイクルＣ３のＯＮ期間情報２２の値である４５に１を減じた値である４４となるが、この値も十分に大きい値であると考えられる。この場合、サイクルＣ４以降も、しばらくの間は、サイクル毎に、ＯＮ期間情報２２の値は１ずつ減少していく。しかし、サイクルＣ４のＯＮ期間情報２２の値が過度に大きい値であるので、その後もしばらくの間は、出力電圧Ｖｏｕｔは上昇を続けることとなり、揺らぎの最大値は大きな値となるという問題が生じている。
【００２２】
そこで、本発明は、上記の課題を鑑みて、出力電圧をより安定化させ、出力電源の設定電圧に対する揺らぎを抑制し、画面のちらつきを抑制することで、表示品質の向上を実現する電源生成回路を備える表示装置を提供することを目的とする。
【課題を解決するための手段】
【００２３】
（１）本発明に係る表示装置は、電圧昇圧回路と、前記電圧昇圧回路を駆動するスイッチング素子と、ＯＮ期間の間、前記スイッチング素子をＯＮする信号を、前記スイッチング素子に出力するＯＮ期間信号生成手段と、所定の周期ごとに、前記電圧昇圧回路の出力電圧の所定の設定電圧に対する符号を検出する出力電圧検出手段と、前記所定の周期ごとに、前記符号に基づいて、後の周期のＯＮ期間の長さを決定するＯＮ期間決定手段と、を備える、スイッチングレギュレータ式直流電源生成回路を備える表示装置であって、前記ＯＮ期間決定手段は、連続する２つの周期において前記符号が同じになるタイミングに応じて、前記ＯＮ期間の長さが所与の幅によって単調に増減するよう前記後の周期のＯＮ期間を決定するとともに、連続する２つの周期において前記符号が異なるタイミングに応じて、前記ＯＮ期間の長さが所与の幅と異なって増減するよう前記ＯＮ期間を決定する、ことを特徴とする。
【００２４】
（２）上記（１）に記載の表示装置であって、前記ＯＮ期間決定手段は、ＯＮ期間の情報を記憶する記憶部を備え、前記記憶部は、連続する２つの周期期間において前記符号が異なるタイミングに応じて、少なくとも１つのＯＮ期間の情報を記憶し、前記ＯＮ期間決定手段は、連続する２つの周期期間において前記符号が異なるタイミングに応じて、前記記憶部が記憶したＯＮ期間に基づいて、前記ＯＮ期間を決定してもよい。
【００２５】
（３）上記（２）に記載の表示装置であって、前記ＯＮ期間決定手段は、連続する２つの周期期間において前記符号が異なるタイミングに応じて、該タイミングに対応するＯＮ期間と、前記記憶部が記憶したＯＮ期間の平均値をとることにより、前記ＯＮ期間の長さを決定してもよい。
【発明の効果】
【００２６】
本発明により、出力電圧をより安定し、出力電源の設定電圧に対する揺らぎを抑制し、画面のちらつきを抑制することで、表示品質の向上を実現する電源生成回路を備える表示装置を提供できる。
【図面の簡単な説明】
【００２７】
【図１】本発明の実施形態の一例を表す表示装置の全体を示す模式図である。
【図２】本発明の実施形態の一例を示す表示装置の一部であるＴＦＴ基板の回路等価図である。
【図３】従来技術の一例及び本発明の実施形態の一例を示す電源生成回路の構成を示す概略図である。
【図４】従来技術に係るＯＮ期間決定部の構成を示す概略図である。
【図５】アナログコンパレータの出力、及び、検出符号、変化点信号の時間的変化を示す概略図である。
【図６】本発明の実施形態の一例を示すＯＮ期間決定部の構成を示す概略図である。
【図７】本発明の実施形態の一例を示すＯＮ期間信号生成部の構成を示す概略図である。
【図８】本発明の実施形態の一例を示す修正ＯＮ期間信号生成部の構成を示す概略図である。
【図９】本発明の実施形態の一例を示す副電圧昇圧回路の構成を示す概略図である。
【図１０】本発明の実施形態の一例を示す副電圧昇圧回路の（ａ）充電時、及び、（ｂ）放電時における電流の流れを示す概略図である。
【図１１】本発明の実施形態の一例を示すクロック停止検出部の構成を示す概略図である。
【図１２】本発明の実施形態の一例を示す信号論理和部の構成を示す概略図である。
【図１３】従来技術に係るＯＮ期間決定部のＯＮ期間決定手段を示す図である。
【図１４】本発明の実施形態の一例を示すＯＮ期間決定部のＯＮ期間決定手段を示す図である。
【図１５】本発明の実施形態の他の一例を示す表示装置の一部であるＴＦＴ基板の回路等価図である。
【発明を実施するための形態】
【００２８】
本発明の実施形態に係る表示装置は、たとえば、ＩＰＳ（In-Plane Switching）方式の液晶表示装置であって、図１の模式図に示すように、走査信号線１０５、映像信号線１０７、画素電極１１０、コモン電極１１１、及び、スイッチング素子である薄膜トランジスタ（Thin Film Transistor: 以下、ＴＦＴと記す）１０９などが配置されたＴＦＴ基板１０２と、当該ＴＦＴ基板１０２に対向し、カラーフィルタが設けられたフィルタ基板１０１と、当該両基板に挟まれた領域に封入された液晶材料と、ＴＦＴ基板１０２のフィルタ基板１０１の反対側に接して位置するバックライト１０３と、を含んで構成されている。
【００２９】
図２は、上記の液晶表示装置のＴＦＴ基板１０２の等価回路を示す概略図である。図２において、ＴＦＴ基板１０２には、ゲート駆動回路１０４に接続された多数の走査信号線１０５が、互いに等間隔をおいて図中横方向に延びている。また、データ駆動回路１０６に接続された多数の映像信号線１０７が互いに等間隔をおいて図中縦方向に延びている。そして、これら走査信号線１０５及び映像信号線１０７により碁盤状に並ぶ画素領域がそれぞれ区画されている。また、各走査信号線１０５と平行にコモン信号線１０８が図中横方向に延びている。
【００３０】
走査信号線１０５及び映像信号線１０７により区画される各画素領域の隅には、ＴＦＴ１０９が形成されており、映像信号線１０７と画素電極１１０に接続されている。また、ＴＦＴ１０９のゲート電極は、走査信号線１０５と接続されている。各画素領域には、画素電極１１０に対向してコモン電極１１１が形成されている。
【００３１】
以上の回路構成において、各画素回路のコモン電極１１１にコモン信号線１０８を介して基準電圧が印加される。また、走査信号線１０５によりＴＦＴ１０９のゲート電極にゲート電圧を選択的に印加することにより、ＴＦＴ１０９を流れる電流が制御される。ゲート電極に選択的にゲート電圧が印加されたＴＦＴ１０９を通じて、映像信号線１０７に供給された映像信号の電圧が選択的に、画素電極１１０に印加される。これにより、画素電極１１０とコモン電極１１１との間に電位差が生じ、液晶分子の配向などを制御し、それにより、バックライト１０３からの光を遮蔽の度合を制御し、画像を表示することとなる。
【００３２】
本実施形態に係る電源生成回路は、例えば、データ駆動回路１０６に所定の電圧を提供する駆動用電源１１２に用いられる。当該所定の電圧とは、表示装置が備える主電源１１の電圧よりも高い電圧である。それゆえ、当該電源生成回路が、主電源１１の電圧を当該所定の電圧に昇圧し、当該所定の電圧を維持して出力している。
【００３３】
当該電源生成回路の構成図を図３に示している。当該電源生成回路の構成は、前述した従来技術に係る電源生成回路と構成において、基本的な構成は共通している。従来技術に係る電源生成回路との主たる相違点は、ＯＮ期間決定部５の構成である。
【００３４】
[電圧昇圧回路１]
表示装置に備えられた主電源１１からの電圧を昇圧する電圧昇圧回路１がある。当該電圧昇圧回路１にはスイッチング素子２が接続されている。スイッチング素子２がＯＮされている間、主電源１１から流れる電流により、コイル１３には電磁エネルギーが蓄積される。スイッチング素子２がＯＦＦされた後、その蓄積された電磁エネルギーにより、ツェナーダイオード１４を介して、コンデンサー１５に電流が流れ、コンデンサー１５はさらに充電される。よって、コンデンサー１５の極板間の電位差が大きくなり、昇圧した電圧を出力電圧Ｖｏｕｔとして出力する。
【００３５】
[スイッチング素子２]
スイッチング素子２は、ＯＮ期間信号生成手段であるＯＮ期間信号生成部３によって生成されたＯＮ期間信号２３によって、制御される。ここで、ＯＮ期間信号２３とは、スイッチング素子２をＯＮする信号であり、スイッチング素子２をＯＮする期間であるＯＮ期間の長さとは、前述のパルス幅を指している。すなわち、スイッチング素子２をＯＦＦする期間は、Ｌの電圧であり、スイッチング素子２をＯＮする期間は、Ｈの電圧である。Ｈの電圧である期間の長さが、パルス幅である。
【００３６】
[出力電圧検出部４]
出力電圧検出手段である出力電圧検出部４は、電圧昇圧回路１の出力電圧Ｖｏｕｔに接続されている。出力電圧検出部４は、各サイクルの始期に、設定電圧Ｖｒｅｆと比較して、出力電圧Ｖｏｕｔが高いか低いかを検出する。出力電圧検出部４は、出力電圧ＶｏｕｔがＨである場合には、検出符号２１としてＨの電圧を、逆に、出力電圧ＶｏｕｔがＬである場合には、検出符号２１としてＬの電圧を、出力する。
【００３７】
出力電圧検出部４には、アナログコンパレータ１２が備えられており、入力端子のプラス端子には設定電圧Ｖｒｅｆが基準電圧として、また、入力端子のマイナス端子には、電圧昇圧回路１の出力電圧Ｖｏｕｔが、接続されている。アナログコンパレータ１２の出力端子では、出力電圧Ｖｏｕｔが設定電圧Ｖｒｅｆと比較して、高いか低いかにより、ＨかＬの電圧を、コンパレータ出力Ｖｃｏｍｐとして出力し、その後、コンパレータ出力Ｖｃｏｍｐがバッファ１６により増強されて、Ｄフリップフロップ１７のＤ端子に入力される。
【００３８】
サイクル信号ＣＬＫは、各サイクルの始期に、立ちあがる信号なので、この時刻におけるアナログコンパレータ１２のコンパレータ出力Ｖｃｏｍｐの情報に基づいて、当該サイクルにおける検出符号２１として、Ｈ若しくはＬの電圧が、出力される。
【００３９】
図５は、コンパレータ出力Ｖｃｏｍｐと、検出符号２１と、後述する変化点信号２７との、時間変化を示す図である。図中上から順に、（ａ）コンパレータ出力Ｖｃｏｍｐ、（ｂ）検出符号２１、（ｃ）変化点信号２７が、図５に示されており、横軸方向は時間である。各サイクルは、図中縦方向に伸びる複数の点線によってそれぞれ区切られた期間であり、各サイクルの始期の時刻を、それぞれ、ｔ０、ｔ１、ｔ２、など、符号で示してある。
【００４０】
図５において、コンパレータ出力Ｖｃｏｍｐは、時刻ｔ０とｔ１の間に、ＬからＨへ変化している。出力電圧検出部４に備えられたＤフリップフロップ１７は、各サイクルの始期毎にコンパレータ出力Ｖｃｏｍｐを出力するので、図５において、コンパレータＶｃｏｍｐがＨの電圧として初めて検出されるのは、時刻ｔ１である。よって、時刻ｔ１に、検出符号２１は、ＬからＨへ変化する。
【００４１】
その後、コンパレータ出力Ｖｃｏｍｐは、時刻ｔ４とｔ５の間に、ＨからＬへ変化している。それまでの間は、コンパレータ出力ＶｃｏｍｐはＨを維持している。よって、各サイクルの始期（図中、時刻ｔ１からｔ４）において、出力電圧検出部４は、コンパレータ出力ＶｃｏｍｐがＨであることを順に出力するので、出力電圧検出部４は、この期間中、検出符号２１としてＨの電圧を出力し続ける。
【００４２】
そして、時刻ｔ５において、コンパレータ出力ＶｃｏｍｐがＨからＬへ変化して初めて、出力電圧検出部４は、コンパレータ出力ＶｃｏｍｐがＬであることを出力する。よって、時刻ｔ５に、検出符号２１は、ＨからＬへ変化する。その後については、しばらくの間、ＶｃｏｍｐがＬを維持するため、出力電圧検出部４は、検出符号２１としてＬを出力し続ける。なお、変化点信号２７については、後述する。
【００４３】
[ＯＮ期間決定部５]
ＯＮ期間決定手段であるＯＮ期間決定部５は、出力電圧検出部４に接続されており、ＯＮ期間決定部５には、検出符号２１及びサイクル信号ＣＬＫが入力される。ＯＮ期間決定部５は、検出符号２１に基づいて、スイッチング素子２をＯＮする期間を決定し、その期間を決定づけるＯＮ期間情報２２を出力する。ここで、ＯＮ期間情報２２は、前述の通り、スイッチング素子２をＯＮする期間（ＯＮ期間）の長さを、クロック信号ＰＣＬＫの周期を単位として表した値である。
【００４４】
図６は、本実施形態に係るＯＮ期間決定部５の構成を示す概略図である。当該ＯＮ期間決定部５は、従来技術に係るＯＮ期間決定部５と異なる構成をしている。当該ＯＮ期間決定部５には、セレクタ４３が備えられており、後述する変化点信号２７に基づいて、符号一定時と符号変化時において、異なるＯＮ期間の決定手段が、当該セレクタ４３により選択される。
【００４５】
ここで、変化点信号２７について説明する。変化点信号２７とは、出力電圧検出部４から出力される検出符号２１に基づいて、ＯＮ期間決定部５に備えられた変化点信号生成部４１において生成される信号である。変化点信号生成部４１は、あるサイクルの始期において、検出符号２１がＬからＨへ、若しくは、ＨからＬへ、変化した場合、そのサイクルの期間中、Ｈの電圧を、変化点信号２７として出力する。また、それ以外の期間においては、変化点信号生成部４１は、Ｌの電圧を、変化点信号２７として出力する。
【００４６】
前述の通り、図５に、（ｂ）検出符号２１と（ｃ）変化点信号２７の時期的変化が示されている。時刻ｔ１において、検出符号２１は、ＬからＨへ変化している。よって、時刻ｔ１を始期とするサイクル、すなわち、時刻ｔ１とｔ２の間の期間中は、変化点信号２７は、Ｈの電圧となっている。同様に、時刻ｔ５において、検出符号２１は、ＨからＬへ変化している。よって、時刻ｔ５を始期とするサイクル、すなわち、時刻ｔ５とｔ６の間の期間中は、同様に、変化点信号２７は、Ｈの電圧となっている。すなわち、ＬからＨへの変化及びＨからＬへの変化のうち、あるサイクルの始期にいずれの変化をしても、そのサイクルの期間は、Ｈの電圧を出力している。そして、それ以外のサイクルにおいて、すなわち、検出符号２１がＬ（Ｈ）で維持されている場合において、変化点信号２７は、Ｌの電圧となっている。
【００４７】
この変化点信号２７は、セレクタ４３に入力されるとともに、記憶部４５のクロックにも入力される。セレクタ４３は、この変化点信号２７により、符号一定時と符号変化時かどうかを検出し、それに応じてＯＮ期間を決定するよう選択する。
【００４８】
ここで、符号一定時とは、連続する２サイクルにおいて、検出符号２１がともにＨ（Ｌ）であるときの、後のサイクルをいう。同様に、符号変化時とは、連続する２サイクルにおいて、検出符号２１がＨからＬへ（ＬからＨへ）変化したときの、後のサイクルをいう。また、符号一定時とは、変化点信号２７がＬの電圧であるサイクル、符号変化時とは、変化点信号２７がＨの電圧であるサイクルと言ってもよい。
【００４９】
前述の通り、従来技術に係るＯＮ期間決定部５は、あるサイクルが符号一定時であっても、符号変化時であっても、検出符号２１に基づいて、該サイクルのＯＮ期間に、所与の幅を加減することにより、次のサイクルのＯＮ期間を決定している。
【００５０】
本実施形態に係るＯＮ期間決定部５は、符号一定時にあっては、これと同様の手段でＯＮ期間を決定している。出力電圧検出部４が出力した検出符号２１が、期間増減素子３１へ入力される。期間増減素子３１は、前述の通り、検出符号２１に基づいて、入力信号の値に所与の幅を加減し、出力している。ここで、あるサイクルにおいて、ＯＮ期間情報２２である現ＯＮ期間情報２４が期間増減素子３１の入力信号である。よって、期間増減素子３１の出力信号は、検出符号２１に基づいて、現ＯＮ期間情報２４の値に１を加減した次ＯＮ期間情報２５である。ここでは、上述の従来技術の場合と同様に、所与の幅を、１単位と設定している。期間増減素子３１が出力する次ＯＮ期間情報２５は、セレクタ４３に入力される。
【００５１】
本実施形態に係るＯＮ期間決定部５は、上述した符号一定時のためのＯＮ期間を決定する手段に加えて、符号変化時のために、別途のＯＮ期間を決定する手段を備えており、それは記憶部４５及び平均値生成部４２によって構成されている。ここで、記憶部４５は、符号変化時に応じたＯＮ期間情報を記憶する記録部である。
【００５２】
記憶部４５のクロックには、上述の変化点信号２７が入力されるが、記憶部４５は、情報出力部３２とは異なり、クロック信号の立ち下がり時に、その時に入力されるＤ端子の情報を、次のクロックの立ち下がりまで、Ｑ端子から出力し続ける。
【００５３】
すなわち、変化点信号２７が立ち下がるときとは、符号変化時であるサイクルが終了する時刻（以下、終期と記す）である。よって、記憶部４５は、符号変化時における現ＯＮ期間情報２４を、符号変化時の終期に、Ｑ端子から出力する。この信号を、前変化時ＯＮ期間情報２６と記す。
【００５４】
平均値生成部４２には、現ＯＮ期間情報２４と前変化時ＯＮ期間情報２６が入力される。平均値生成部４２は、この２つの入力信号の平均値を、平均ＯＮ期間情報２８として、セレクタ４３へ出力している。
【００５５】
セレクタ４３は、符号一定時、すなわち、変化点信号２７がＬの電圧である時、次ＯＮ期間情報２５を選択して、情報出力部４４のＤ端子へ出力する。また、符号変化時、すなわち、変化点信号２７がＨの電圧である時、平均ＯＮ期間情報２８を選択して、情報出力部４４のＤ端子へ出力する。
【００５６】
情報出力部４４は、情報出力部３２と同様に、クロックの立ち上がりに応じて、そのときに入力されるＤ端子の情報を、次のクロックの立ち上がりまで、Ｑ端子から出力し続ける。情報出力部４４のクロックには、各サイクルの始期に立ちあがるサイクル信号ＣＬＫが入力される。よって、情報出力部４４は、次のサイクルの始期に、セレクタ４３からの出力信号を、ＯＮ期間情報２２として、ＯＮ期間信号生成部３へ出力する。
【００５７】
以上により、本実施形態に係るＯＮ期間決定部５は、符号一定時には、従来技術に係るＯＮ期間決定部５と同様に、検出符号２１に基づいて、該符号一定時のＯＮ期間情報２２の値に、１単位加減して、次のサイクルの始期に、次のサイクルのＯＮ期間情報２２として出力する。
【００５８】
本実施形態に係るＯＮ期間決定部５は、符号変化時には、従来技術に係るＯＮ期間決定部５とは異なり、符号変化時に応じたＯＮ期間情報と、前の符号変化時に応じたＯＮ期間情報との平均値を、出力している。
【００５９】
[ＯＮ期間信号生成部３]
ＯＮ期間信号生成部３は、ＯＮ期間決定部５に接続されており、ＯＮ期間信号生成部３には、ＯＮ期間情報２２及び前述のクロック信号ＰＣＬＫが入力される。ＯＮ期間信号生成部３は、これら入力信号に基づいて、ＯＮ期間信号２３を生成し、スイッチング素子２へ出力する。
【００６０】
図７は、ＯＮ期間信号生成部３の構成を示す概略図である。クロック信号ＰＣＬＫは、周期カウンタ３３と、Ｄフリップフロップ３５のクロックに入力される。
【００６１】
前記各サイクルは、クロック信号ＰＣＬＫの周期を所定数の整数倍したもので定義される。周期カウンタ３３は、当該所定数でリセットされるカウンタであり、クロック信号ＰＣＬＫの周期毎に、各サイクルの始期より、１、２、３、と順にカウントして、そのカウンタ値２９を、大小検出セレクタ３４へ出力する。また、ＯＮ期間決定部５が出力したＯＮ期間情報２２は、大小検出セレクタ３４へ入力される。
【００６２】
大小検出セレクタ３４では、２つの入力信号であるカウンタ値２９とＯＮ期間情報２２の大小関係を検出する。大小検出セレクタ３４は、ＯＮ期間情報２２の値がカウンタ値２９より大きい若しくは等しい場合は、Ｈの電圧を、ＯＮ期間情報２２がカウンタ値より小さい場合は、Ｌの電圧を、Ｄフリップフロップ３５のＤ端子へ出力する。
【００６３】
Ｄフリップフロップ３５においては、クロック信号ＰＣＬＫの立ち上がり時毎に、大小検出セレクタ３４の出力信号を、Ｑ端子より出力する。これにより、クロック信号ＰＣＬＫの周期に、ＯＮ期間情報２２の値を乗じた期間中、Ｈの電圧を出力する信号、すなわち、ＯＮ期間信号２３が生成される。ここで、前述の通り、ＯＮ期間信号２３のうちＨの電圧の期間が、パルス幅である。
【００６４】
このようにして、ＯＮ期間信号生成部３において、ＯＮ期間信号２３が生成され、スイッチング素子２へ出力される。
【００６５】
以上が、本実施形態に係る電源生成回路の構成である。本実施形態に係るＯＮ期間決定部５は、符号一定時には、符号一定時における検出符号２１に基づいて、符号一定時のＯＮ期間に、所与の幅を増減させて、次のサイクルのＯＮ期間を決定している。これに対して、符号変化時には、ＯＮ期間決定部５は、前の符号変化時の次のサイクルのＯＮ期間を記憶部４５に記憶しているので、該ＯＮ期間と、現符号変化時のＯＮ期間との平均値を、次のサイクルのＯＮ期間として決定する。符号変化時に決定するこのＯＮ期間は、従来技術に係るＯＮ期間決定部５が決定するＯＮ期間と比較して、より最適値に近いものである。
【００６６】
これにより、本実施形態に係る表示装置は、次の符号変化時までの期間が従来技術に係る表示装置と比較して短くなり、本実施形態に係る駆動電源において、出力電圧と設定電圧の差の最大値、すなわち、出力電圧の設定電圧に対する揺らぎの最大値は、従来技術に係る駆動電源より小さくなる。これにより、表示装置に備えられた画素電極に印加する階調電圧がより安定することとなり、画面のちらつきを抑制することが出来る。これにより、表示品質の向上を実現することとなる。
【００６７】
図１４は、本実施形態に係る電源生成回路によって制御される出力電圧Ｖｏｕｔと、検出符号２１と、ＯＮ期間情報２２、変化点信号２７、前変化時ＯＮ期間情報２６、平均ＯＮ期間情報２８、次ＯＮ期間情報２５、サイクル信号ＣＬＫの時間的変化を表す図である。従来技術に係る電源生成回路について示した図１３と同様に、図中上から順に（ａ）出力電圧Ｖｏｕｔ、（ｂ）検出符号２１、（ｃ）ＯＮ期間情報２２を、さらに、（ｄ）変化点信号２７、（ｅ）前変化時ＯＮ期間情報２６、（ｆ）平均ＯＮ期間情報２８、（ｇ）次ＯＮ期間情報２５、（ｈ）サイクル信号ＣＬＫを、示している。横軸方向は、時間である。各サイクルは、図中縦方向に伸びる複数の点線によってそれぞれ区切られた期間であり、各サイクルのうち、特定のサイクルについて、Ｃ１、Ｃ２、Ｃ３、など、符号で示している。
【００６８】
前述の通り、ＯＮ期間決定部５は、あるサイクルが符号一定時であるとき、該サイクルの検出符号２１に基づいて、該サイクルのＯＮ期間情報２２の値に１を加減したものを、次のサイクルのＯＮ期間情報２２の値としている。例えば、図１４で示す通り、サイクルＣ１及びＣ２における検出符号２１は、前のサイクルの検出符号２１と同じＬの電圧であるので、サイクルＣ１及びＣ２は符号一定時である。サイクルＣ１におけるＯＮ期間情報２２の値は３１であり、検出符号２１はＬの電圧である。よって、サイクルＣ１において、次ＯＮ期間情報２５の値は、ＯＮ期間情報２２の値である３１に、１を加えた値である３２となる。また、変化点信号２７はＬの電圧であるので、セレクタ４３は、この値を、情報出力部４４へ出力する。よって、情報出力部４４は、次のサイクルであるＣ２におけるＯＮ期間情報２２の値として、サイクルＣ１におけるＯＮ期間情報２２の値である３１に、１を加えた値である３２を出力することとなる。同様に、サイクルＣ２における検出符号２１はＬの電圧であるので、サイクルＣ３におけるＯＮ期間情報２２の値は３３と、１増加している。
【００６９】
サイクルＣ２における検出符号２１はＬの電圧であるのに対して、次のサイクルであるＣ３における検出符号２１はＨの電圧と異なっている。すなわち、サイクルＣ３は、符号変化時である。前述の通り、符号変化時であるサイクルＣ３におけるＯＮ期間の決定手段は、符号一定時の決定手段とは異なっている。サイクルＣ３において、記憶部４５は、前変化時ＯＮ期間情報２６として、前の符号変化時の次のサイクルであるＣ０のＯＮ期間情報２２の値である２５を、平均値生成部４２へ出力している。よって、平均値生成部４２は、サイクルＣ０のＯＮ期間情報２２の値である２５と、サイクルＣ３における現ＯＮ期間情報２４の値である３３との、平均値である２９を、平均ＯＮ期間情報２８として出力する。
【００７０】
変化点信号２７は、符号変化時であるサイクルＣ３においては、Ｈの電圧となっているので、セレクタ４３は、平均ＯＮ期間情報２８の値である２９を、情報出力部４４へ出力する。よって、情報出力部４４は、サイクルＣ４におけるＯＮ期間情報２２の値として、２９を出力することとなる。
【００７１】
その後、また、サイクルＣ４以降しばらくの間は、符号一定時に戻るため、サイクルＣ５、Ｃ６におけるＯＮ期間情報２２の値は、２８、２７と、１ずつ減少していく。
【００７２】
なお、上記の実施例においては、符号一定時において、クロック信号ＰＣＬＫの周期を単位にして、ＯＮ期間決定部５がＯＮ期間の長さの増減する所与の幅を、１とした。しかし、ＰＣＬＫの周期と、ＯＮ期間信号２３の典型的な長さとの関係で、所与の幅を１とは異なる値に設定してもよい。さらに、ＯＮ期間の長さを、クロック信号ＰＣＬＫの周期を単位としたが、同様に、別の期間を単位にして設定してもよい。
【００７３】
さらに、本実施例に係るＯＮ期間決定部５は、記憶部４５に、当該符号変化時より以前の符号変化時の次のサイクルのＯＮ期間を記憶している。しかし、記憶部が記憶すべきＯＮ期間の情報は、符号変化時に応じたＯＮ期間の情報であればよい。例えば、符号変化時の前のサイクルのＯＮ期間を記憶してもよいし、符号変化時前後の複数のサイクルの組み合わせであってもよいし、それらの平均値などであってもよい。
【００７４】
さらに、本実施例に係るＯＮ期間決定部５は、当該符号変化時に、記憶部に記憶したＯＮ期間と、その符号変化時のＯＮ期間に基づいて、当該符号変化時の次のサイクルのＯＮ期間を決定している。しかし、ＯＮ期間決定部５が、平均値をとるなど、所与の幅を増減する以外の手段でＯＮ期間を決定するのは、当該符号変化時に基づいていれば、当該符号変化時に限定されることはなく、当該符号変化時の次のサイクルでも、さらに、その次のサイクルでも、また、当該符号変化時を含む連続するサイクルのうち、１つの若しくは組み合わせのサイクルであってもよい。さらに、記憶部に記憶されたＯＮ期間の情報は、次の符号変化時に応じて記憶されていてもいいし、さらにその後まで、記憶されていてもよい。
【００７５】
さらに、本実施例に係るＯＮ期間決定部５は、符号変化時において、記憶部に記憶されたＯＮ期間の情報と、当該符号変化時におけるＯＮ期間の情報の平均値をとり、その情報を、次のサイクルのＯＮ期間の情報として決定している。しかし、このＯＮ期間の決定手段は、符号一定時におけるＯＮ期間の決定手段と比較して、より最適値に近いＯＮ期間の決定方法であれば、平均値をとるという方法以外であってもよい。例えば、記憶部に記憶したＯＮ期間と、その符号変化時のＯＮ期間の平均値に、さらに、その符号変化時の検出符号に基づいて、所与の幅を増減させてもよいし、記憶部に記憶したＯＮ期間のみに基づいてＯＮ期間を決定してもよい。
【００７６】
さらに、本実施例に係るＯＮ期間決定部５は、記憶部に、以前のサイクルにおけるＯＮ期間の情報を１つのみ記憶している。しかし、記憶部に記憶されるＯＮ期間の情報は１つに限定されることなく、複数のＯＮ期間の情報であってもよい。その場合、例えば、ＯＮ期間決定部５が記憶した複数のＯＮ期間の情報と、符号変化時のＯＮ期間とのすべてについて若しくは選択的に一部について平均値をとることにより、次のサイクルのＯＮ期間を決定してもよい。
【００７７】
[異常終了時不具合防止回路]
クロック信号ＰＣＬＫが異常停止をした場合、当該電源生成回路に備えられたＯＮ期間信号生成部３は、出力するＯＮ期間信号２３として、その異常停止時の電圧を、異常停止後も、スイッチング素子２に出力することとなる。
【００７８】
従来技術に係る電源生成回路においても、本実施形態に係る電源生成回路においても、ＯＮ期間信号２３は、クロック信号ＰＣＬＫに基づいて生成されている。それゆえ、いずれの場合であっても、クロック信号ＰＣＬＫが異常停止した時に、ＯＮ期間信号２３がＨの電圧のままで維持される場合があり得る。この場合、スイッチング素子２がその後継続してＯＮされてしまうため、主電源１１よりスイッチング素子２へ大電流が流れることになり、電源生成回路に大きな損傷を与え得る。
【００７９】
よって、この課題を解決するべく、従来技術に係るＯＮ期間信号生成部３若しくは本発明に係るＯＮ期間信号生成部３と並列に、クロック異常停止時に生じる不具合を防止する異常終了時不具合防止回路５１を設ける。異常終了時不具合防止回路５１は、副電圧昇圧回路５２とクロック停止検出部５３が直列に接続されて構成されている。ＯＮ期間信号生成部３の出力である修正前ＯＮ期間信号５４と、異常終了時不具合防止回路５１の出力であるクロック停止検出信号５５との、論理和信号を、信号論理和部５６が生成し、ＯＮ期間信号２３として出力する。ここで、論理和とは、入力された２つの信号が、ともにＨの電圧の場合のみ、Ｈの電圧を出力し、それ以外の場合においては、Ｌの電圧を出力する。
【００８０】
これら構成を、修正ＯＮ期間信号生成部６として、図８に記す。修正ＯＮ期間信号生成部６は、ＯＮ期間信号生成部３に異常終了時不具合防止回路５１を並列に設けて、信号論理和部５６が、それら出力の論理和をとって、ＯＮ期間信号２３として出力している。当該電源生成回路全体の構成は、図３に示した構成のうち、ＯＮ期間信号生成部３を、修正ＯＮ期間信号生成部６に置き換えたものである。
【００８１】
副電圧昇圧回路５２は、クロック信号ＰＣＬＫの信号に基づいて、主電源１１の電圧を昇圧して副出力電圧５７を出力する電圧昇圧回路である。副電圧昇圧回路５２には、クロック停止検出部５３が接続されている。クロック信号ＰＣＬＫが正常に駆動している間は、副電圧昇圧回路５２から順次供給される電圧により、クロック停止検出部５３は、Ｈの電圧をクロック停止検出信号５５として、出力する。
【００８２】
クロック正常駆動時には、クロック停止検出信号５５は常にＨの電圧であるため、ＯＮ期間信号生成部３が出力する修正前ＯＮ期間信号５４がＨの電圧のときは、信号論理和部５６は、Ｈの電圧を出力し、修正前ＯＮ期間信号５４がＬの電圧のときは、信号論理和部５６は、Ｌの電圧を出力する。すなわち、クロック正常駆動時には、ＯＮ期間信号生成部３が出力する修正前ＯＮ期間信号５４を、信号論理和部５６は、そのまま、ＯＮ期間信号２３として出力する。
【００８３】
また、クロック信号ＰＣＬＫが異常停止した場合、副電圧昇圧回路５２から供給されていた電圧の供給が停止するため、クロック停止検出部５３に備えられた電気抵抗６２によって、クロック停止検出信号５５は、所定の時間経過後には、Ｌの電圧に低下してしまう。
【００８４】
これにより、クロック信号ＰＣＬＫが異常停止したときに、修正前ＯＮ期間信号５４がＬの電圧である場合には、信号論理和部５６は、Ｌの電圧を出力し、修正前ＯＮ期間信号５４がＨの電圧である場合であっても、信号論理和部５６は、所定の時間経過後には、Ｌの電圧を出力する。すなわち、クロック信号ＰＣＬＫが異常停止した場合、修正前ＯＮ期間信号５４が、Ｈの電圧若しくはＬの電圧のいずれであっても、遅くとも所定の時間経過後には、信号論理和部５６は、Ｌの電圧を、ＯＮ期間信号２３として出力する。これにより、クロック信号ＰＣＬＫが異常停止してから、遅くとも所定の時間期間後には、スイッチング素子２はＯＦＦされることとなり、装置に備えられた主電源１１からスイッチング素子２へ大電流が流れるのを防止することが出来る。
【００８５】
以下、各構成の詳細について、説明する。
【００８６】
図９は、副電圧昇圧回路５２の構成を示す概略図である。副電圧昇圧回路５２は、たとえば、公知のチャージポンプ式の電圧昇圧回路である。チャージポンプ式電圧昇圧回路とは、回路に備えられた４つのスイッチング素子を制御することで、回路に備えられたポンプ用コンデンサーＣｐｕｍｐに充電し、その電荷を、出力用コンデンサーＣｏｕｔへ放電することを、繰り返し行うことにより、昇圧された電圧を出力する回路である。
【００８７】
入力されるクロック信号ＰＣＬＫに基づいて、スイッチ制御部６１が、図９中に示すスイッチング素子ＳＷ１とＳＷ２及びスイッチング素子ＳＷ３とＳＷ４を、交互にＯＮする。ここで、スイッチング素子とは、電界効果トランジスタ（ＦＥＴ）などのトランジスタであり、該トランジスタのゲート電圧に、Ｈの電圧を印加することで、スイッチング素子はＯＮされ、ゲート電圧にＬの電圧を印加することで、スイッチング素子はＯＦＦされる。
【００８８】
スイッチング素子ＳＷ１とＳＷ２がＯＮされて、スイッチング素子ＳＷ３とＳＷ４がＯＦＦされるとき、主電源１１よりポンプ用コンデンサーＣｐｕｍｐに電流が流れ、ポンプ用コンデンサーＣｐｕｍｐは充電される。この場合の電流の流れを、図１０（ａ）に示す。図１０は、図９で示した構成から、スイッチング素子がＯＦＦされることにより、電流の流れに寄与していない部分を除いたものである。図１０（ａ）は、スイッチング素子ＳＷ３とＳＷ４がＯＦＦされているため、それにより、電流の流れに寄与していない部分は表示していない。また、電流の流れを、図中矢印で示してある。ポンプ用コンデンサーＣｐｕｍｐの充電が完了した後、ポンプ用コンデンサーＣｐｕｍｐの負極は接地されているため、ポンプ用コンデンサーＣｐｕｍｐの正極の電位は、主電源１１の電位と同じになっている。
【００８９】
次に、スイッチ制御部６１は、スイッチング素子ＳＷ１とＳＷ２をＯＦＦし、スイッチング素子ＳＷ３とＳＷ４をＯＮする。このとき、ポンプ用コンデンサーＣｐｕｍｐより出力用コンデンサーＣｏｕｔへ、電流が流れ、出力用コンデンサーＣｏｕｔの正極の電位は、主電源１１の電位よりも高くなる。
【００９０】
同様に、この場合の電流の流れを、図１０（ｂ）に示す。図１０（ｂ）は、スイッチング素子ＳＷ１とＳＷ２がＯＦＦされているため、同様に、それにより、電流の流れに寄与していない部分は表示していない。また、同様に、電流の流れを、図中矢印で示してある。
【００９１】
充電されたポンプ用コンデンサーＣｐｕｍｐから、スイッチング素子ＳＷ１とＳＷ２をＯＦＦした後に、ＳＷ４をＯＮすると、ポンプ用コンデンサーＣｐｕｍｐの負極が、主電源１１に接続される。これにより、ポンプ用コンデンサーＣｐｕｍｐの正極の電位は、主電源１１の電位よりも高くなる。そして、ＳＷ３をＯＮすることで、高電位となったポンプ用コンデンサーＣｐｕｍｐの正極から、出力用コンデンサーＣｏｕｔへ電流が流れ、ポンプ用コンデンサーＣｐｕｍｐは放電され、出力用コンデンサーＣｏｕｔは充電される。
【００９２】
このスイッチング素子の状態が保たれたならば、後述するクロック停止検出部５３に備えられた電気抵抗６２により、出力用コンデンサーＣｏｕｔは放電されるので、時間とともに、出力用コンデンサーＣｏｕｔの正極の電位は低下していく。
【００９３】
しかしながら、スイッチ制御部６１が、スイッチング素子ＳＷ１とＳＷ２、スイッチング素子ＳＷ３とＳＷ４を、交互に繰り返してＯＮすることにより、ポンプ用コンデンサーＣｐｕｍｐは充電と放電を繰り返す。これにより、出力用コンデンサーＣｏｕｔの正極の電位は、一定の電位以上に保たれることとなり、副出力電圧５７も、同様に、一定の電位以上に保たれることとなる。
【００９４】
副電圧昇圧回路５２の出力には、クロック停止検出部５３が接続されている。図１１は、クロック停止検出部５３の構成を示す概略図である。図１１に示す通り、クロック停止検出部５３は、スイッチング素子を備えた複数の電気抵抗６２と、記憶部６３を備える停止検出制御部６４とで、構成されている。記憶部６３には、複数の電気抵抗６２それぞれについて、電気抵抗の抵抗値と出力用コンデンサーＣｏｕｔの容量の時定数に基づく停止判断時間が設定されている。停止検出制御部６４は、クロック信号ＰＣＬＫの周期など所定の条件のもと、接続すべき電気抵抗６２をスイッチング素子によって選択して接続する。
【００９５】
前述の通り、出力用コンデンサーＣｏｕｔは、この電気抵抗６２により、放電されるので、新たな電荷の供給がない場合は、出力用コンデンサーＣｏｕｔの正極の電位は低下するため、クロック停止検出部の出力信号であるクロック停止検出信号５５は、同様に低下してしまう。
【００９６】
しかしながら、クロック信号ＰＣＬＫが正常に駆動している場合は、出力用コンデンサーＣｏｕｔには、順次、ポンプ用コンデンサーＣｐｕｍｐより電荷が供給されるため、出力用コンデンサーＣｏｕｔの正極の電位は一定の電圧以上に保たれる。この場合、停止検出制御部６４は、クロック信号ＰＣＬＫは正常に駆動していると判断し、Ｈの電圧を、クロック停止検出信号５５として、信号論理和部５６へ出力する。
【００９７】
これに対して、クロック信号ＰＣＬＫが異常停止した場合、前述の通り、出力用コンデンサーＣｏｕｔへの電荷供給は停止する。この場合、前述の通り、時間とともに、電気抵抗６２により、出力用コンデンサーＣｏｕｔの正極の電位は低下する。
【００９８】
停止検出制御部６４は、出力用コンデンサーＣｏｕｔの正極の電位と、所定の電位とを比較している。そして、出力用コンデンサーＣｏｕｔの正極の電位が、該所定の電位よりも低くなる状態が、記憶部に設定された該電気抵抗６２に対応する停止判断時間以上継続した場合、停止検出制御部６４は、クロック信号ＰＣＬＫが異常停止したものと判断し、Ｌの電圧を、クロック停止検出信号５５として、信号論理和部５６へ出力する。
【００９９】
前述の通り、ＯＮ期間信号生成部３の出力と、異常終了時不具合防止回路５１の出力に、信号論理和部５６が接続している。図１２は、信号論理和部５６の構成を示す概略図である。図１２に示す通り、信号論理和部５６に備えた論理和ゲート６５は、ＯＮ期間信号生成部３の出力である修正前ＯＮ期間信号５４と、異常終了時不具合防止回路５１の出力であるクロック停止検出信号５５との、論理和をとる。すなわち、修正前ＯＮ期間信号５４とクロック停止検出信号５５がともにＨの電圧の場合のみ、Ｈの電圧を出力し、それ以外の場合は、Ｌの電圧を出力する。
【０１００】
なお、本実施例においては、論理和ゲート６５の出力に、公知のパワーオフ端子６６を接続し、より安定的にＨ及びＬの電圧を出力している。すなわち、論理和ゲート６５の出力がＨの電圧である場合、ＯＮ期間信号２３は、パワーオフ端子設定電圧Ｖｃｃの値を持つＨの電圧となる。また、論理和ゲート６５の出力がＬの電圧である場合、ＯＮ期間信号２３は、接地され、Ｌの電圧となり、スイッチング素子２を含む内部回路の動作は停止することとなる。
【０１０１】
以上の構成により、クロック信号ＰＣＬＫが正常に駆動している時には、ＯＮ期間信号生成部３が出力する信号を、ＯＮ期間信号２３として、スイッチング素子２へ出力し、クロック信号ＰＣＬＫが異常停止をする時には、遅くとも所定の時間経過後までに、ＯＮ期間信号２３をＬの電圧に下げることで、主電源１１よりスイッチング素子２へ大電流が流れることを防止することが出来る。これにより、クロック信号ＰＣＬＫが異常停止しても、装置に大きな損傷を与えることなく、装置の使用年数を長くすることが出来る。
【０１０２】
なお、本発明の実施形態に係る表示装置において、上記では、図２に示す通り、ＩＰＳ方式の液晶表示装置について説明しているが、本発明に係る表示装置は、ＶＡ（Vertically Aligned）方式やＴＮ（Twisted Nematic）方式等、その他の駆動方式の液晶表示装置であってもよいし、有機ＥＬ表示装置など、他の表示装置であってもよい。図１３は、ＶＡ方式及びＴＮ方式の液晶表示装置に備えられるＴＦＴ基板１０２の等価回路を示す図である。ＶＡ方式及びＴＮ方式の場合には、コモン電極１１１がＴＦＴ基板１０２と対向するフィルタ基板１０１に設けられている。
【符号の説明】
【０１０３】
１  電圧昇圧回路、２  スイッチング素子、３  ＯＮ期間信号生成部、４  出力電圧検出部、５  ＯＮ期間決定部、１１  主電源、１２  アナログコンパレータ、２１  検出符号、２２  ＯＮ期間情報、２３  ＯＮ期間信号、２４  現ＯＮ期間情報、２５  次ＯＮ期間情報、２６  前変化時ＯＮ期間情報、２７  変化点信号、２８  平均ＯＮ期間情報、２９  カウンタ値、３１  期間増減素子、３２  情報出力部、３３  周期カウンタ、３４  大小検出セレクタ、４１  変化点信号生成部、４２  平均値生成部、４３  セレクタ、４４  情報出力部、４５  記憶部、５１  異常終了時不具合防止回路、５２  副電圧昇圧回路、５３  クロック停止検出部、５４  修正前ＯＮ期間信号、５５  クロック停止検出信号、５６  信号論理和部、５７  副出力電圧、６１  スイッチ制御部、６２  電気抵抗、６３  記憶部、６４  停止検出制御部、６５  論理和ゲート、６６  パワーオフ端子、１０１  フィルタ基板、１０２  ＴＦＴ基板、１０３  バックライト、１０４  ゲート駆動回路、１０５  走査信号線、１０６  データ駆動回路、１０７  映像信号線、１０８  コモン信号線、１０９  ＴＦＴ、１１０  画素電極、１１１  コモン電極、ＣＬＫ  サイクル信号、Ｃｏｕｔ  出力用コンデンサー、Ｃｐｕｍｐ  ポンプ用コンデンサー、ＰＣＬＫ  クロック信号、ＳＷ１，ＳＷ２，ＳＷ３，ＳＷ４  スイッチング素子、Ｖｃｃ  パワーオフ端子設定電圧、Ｖｃｏｍｐ  コンパレータ出力、Ｖｏｕｔ  出力電圧、Ｖｒｅｆ  設定電圧。
【図１】
2010217302.tif 000003
【図２】
2010217302.tif 000004
【図３】
2010217302.tif 000005
【図４】
2010217302.tif 000006
【図５】
2010217302.tif 000007
【図６】
2010217302.tif 000008
【図７】
2010217302.tif 000009
【図８】
2010217302.tif 000010
【図９】
2010217302.tif 000011
【図１０】
2010217302.tif 000012
【図１１】
2010217302.tif 000013
【図１２】
2010217302.tif 000014
【図１３】
2010217302.tif 000015
【図１４】
2010217302.tif 000016
【図１５】
2010217302.tif 000017